(57)【要約】      （修正有）【課題】手軽に使用することができて、精力が減退したり性的に不能であったりする男性に有効であり、しかも、副作用などを伴うこともなく安心して使用することができる安全性に優れた精力増強材の構造を提供する。【解決手段】皮膚に接触するように人体の一部に装着可能とされた基材を備え、その基材にテラヘルツ波が転写されている。また、前記基材が、ブラックシリカ５が配合されかつ裏面に皮膚に貼付するための粘着剤６が塗布されたパッチシート３により構成されている。【選択図】図２
0003183440.tif 000002
【実用新案登録請求の範囲】
【請求項１】
皮膚に接触するように人体の一部に装着可能とされた基材を備え、その基材にテラヘルツ波が転写されていることを特徴とする精力増強材。
【請求項２】
前記基材が、ブラックシリカ（５）が配合されかつ裏面に皮膚に貼付するための粘着剤（６）が塗布されたパッチシート（３）により構成されていることを特徴とする請求項１に記載の精力増強材。
【請求項３】
前記基材が円環状のシリコンリング（１３）により構成され、シリコンリング（１３）はその内径が２６ｍｍ〜４０ｍｍに設定されていることを特徴とする請求項１に記載の精力増強材。
【請求項４】
前記基材がテラヘルツ鉱石とブラックシリカが練り込まれたシリコンバンド（１５）により構成され、シリコンバンド（１５）は手首や足首に外嵌可能なリング状に形成されていることを特徴とする請求項１に記載の精力増強材。
【考案の詳細な説明】
【技術分野】
【０００１】
本考案は、性欲減退や不妊に有効な精力増強材に関するものである。
【背景技術】
【０００２】
肉体疲労や精神的なストレスあるいは糖尿病などの疾病による精力減退や性的不能になることが少なくない。また、近時は、若年層の男性においても、性的能力が低下しているとされている。このような背景から、特に性欲減退や不妊に有効な精力増強材が求められている。
従来の精力増強材として、天然物であるにんにくからの抽出物を利用した経口用の精力増強剤がある（例えば、特許文献１）。また、スプレー式の精力増強剤も開発されている。
また、精力増強材として開発された医薬品があり、その代表的なものとして「バイアグラ」等の医薬品が注目されている。
【先行技術文献】
【特許文献】
【０００３】
【特許文献１】特開平１０−３０６０３２号公報
【考案の概要】
【考案が解決しようとする課題】
【０００４】
しかし、従来の経口用やスプレー式の精力増強剤には、性欲減退や不妊に有効であるかどうかは明らかとされていないものがあり、その有効性に問題があるものも多かった。また、経口用の精力増強剤の場合には服用するためには飲料水が必要となるし、飲む行為に抵抗があった。スプレー式の精力増強剤の場合は短時間で成分が落ちてしまう可能性もあった。
また、バイアグラ等の医薬品は、薬効が強力であることから、その副作用が懸念され、その服用に起因する死亡例もある。
本考案は上記問題点に鑑み、もっと手軽に使用することができて、精力が減退したり性的に不能であったりする男性に有効であり、しかも、副作用などを伴うこともなく安心して使用することができる安全性に優れた精力増強材を提供することを目的とする。
【課題を解決するための手段】
【０００５】
本考案における課題解決のための具体的手段は、次の通りである。
この技術的課題を解決する本考案の技術的手段は、皮膚に接触するように人体の一部に装着可能とされた基材を備え、その基材にテラヘルツ波が転写されている点にある。
また、本考案の他の技術的手段は、前記基材が、ブラックシリカ５が配合されかつ裏面に皮膚に貼付するための粘着剤６が塗布されたパッチシート３により構成されている点にある。
また、本考案の他の技術的手段は、前記基材が円環状のシリコンリング１３により構成され、シリコンリング１３はその内径が２６ｍｍ〜４０ｍｍに設定されている点にある。
また、本考案の他の技術的手段は、前記基材がテラヘルツ鉱石とブラックシリカが練り込まれたシリコンバンド１５により構成され、シリコンバンド１５は手首や足首に外嵌可能なリング状に形成されている点にある。
【考案の効果】
【０００６】
請求項１によれば、基材を人体に装着することによって、基材から放射されるテラヘルツ波を人体で効率よく受けることができ、テラヘルツ波を受けることによって体の水の分子が共振し、血流がよくなって細胞の活発化が促される。基材を人体の陰部等に装着した場合には、テラヘルツ波が毛細血管に至る血流を加速させて、性行為時の勃起を促進させることができるし、毛細血管の集まりでもある海綿体をテラヘルツ波で活性化させて勃起持続時間を長くすることができる。また、陰部以外の心臓に近い部分等に装着した場合には、血行不良などを正してよいコンディションにして、体調のバランスを整えることができる。
しかも、テラヘルツ波は携帯電話の電波やマイクロ波などのように人体に悪影響を及ぼすこともなく、安全である。また、スプレー式の精力増強剤のように成分がたれ落ちる心配もない。
請求項２によれば、ブラックシリカによって、テラヘルツ波の転写効率を高めて、パッチシートからより多くのテラヘルツ波を放射させることができるようになる。また、粘着剤を利用して基材であるパッチシートを陰部や心臓に近い部分等に簡単かつ確実に貼り付けることができるようになる。
請求項３によれば、基材であるシリコンリングを陰部に外嵌して皮膚に接触するように簡単かつ確実に装着することができる。
請求項４によれば、テラヘルツ鉱石とブラックシリカとによって、テラヘルツ波の転写効率を高めて、シリコンバンドからより多くのテラヘルツ波を放射させることができるようになる。また、基材であるシリコンリングを皮膚に接触するように手首や足首に簡単かつ確実に装着することができる。
【図面の簡単な説明】
【０００７】
【図１】本考案の第１実施形態を示す精力増強材の斜視図である。
【図２】同精力増強材の構成例を示す断面図である。
【図３】本考案の第２実施形態を示す精力増強材の平面図である。
【図４】本考案の第３実施形態を示す精力増強材の斜視図である。
【図５】同精力増強材を手首に装着した状態を示す斜視図である。
【考案を実施するための形態】
【０００８】
以下、本考案の実施の形態を図面に基づいて説明する。
図１及び図２は本考案の第１実施形態を示している。図１及び図２において、精力増強材１は皮膚に接触するように人体の一部に装着可能とされた基材を備え、基材はパッチシート３により構成されている。パッチシート３は、ブラックシリカ５が配合されかつ裏面に皮膚に貼付するための粘着剤６が塗布されている。
パッチシート３は、例えば、図２（ａ）に示すように、ポリ塩化ビニル等の樹脂フィルム８の裏面側にブラックシリカ５を混合した粘着剤６を塗布してなる。また、例えば、図２（ｂ）に示すように、薄布９の裏面側にブラックシリカ５を染みこませると共にさらにその裏面に粘着剤６を塗布なる。或いは、例えば、図２（ｃ）に示すように、ブラックシリカ５を混合した合成樹脂で樹脂フィルム１０を形成し、その樹脂フィルム１０の裏面に粘着剤６を塗布してなる。
従って、図２（ａ）（ｂ）（ｃ）のいずれの場合も、ブラックシリカ５が全面に亘って配合されかつ裏面に皮膚に貼付するための粘着剤６が塗布されたパッチシート３が構成されている。
パッチシート３にテラヘルツ波が転写されている。パッチシート３へのテラヘルツ波の転写は、例えば、テラヘルツ波を放射する図示省略の転写装置によってパッチシート３にその表面側からテラヘルツ波を一定時間照射することによってなされたものである。
パッチシート３は１５ｍｍ〜３０ｍｍ程度の円形又は楕円形に形成され、その表面は目立たない肌色とされている。複数のパッチシート３が剥離シート１２に粘着剤６を介して着脱自在に貼り付けられている。
ここで、テラヘルツ波とは、光波と電波との中間領域に相当する０．０１ＴＨｚ〜１００ＴＨｚ程度の周波数を有する電磁波であり、光波と電波との間の中間的な性質を有している。このようなテラヘルツ波の応用として、測定対象物で透過または反射したテラヘルツ波の電場振幅の時間波形を測定することで該測定対象物の情報を取得する技術が研究されている。
また、ブラックシリカとは、北海道の南、上ノ国町でのみ採掘される希少な天然鉱石で、数億年前に珪草類が堆積してできた天然鉱石であり、多種の天然ミネラルをふんだんに含み、常温でも遠赤外線、マイナスイオンを強力に放射するという優れた特性をもっている。その学術名は「黒鉛珪石」である。
上記第１実施形態によれば、精力増強材１を使用する場合、パッチシート３を剥離シート１２から剥がして、陰茎の根本上部若しくは裏筋の根本で睾丸の裏側に貼付すればよい。又は、胸の心臓に近い部分に貼付すればよい。精力増強材１の人体への装着はパッチシート３の粘着剤６を利用して簡単に貼り付けてなすことができ、しかもパッチシート３の表面は肌色であるから、目立つこともない。
また、パッチシート３にはブラックシリカ５が配合されているので、ブラックシリカ５によって、テラヘルツ波の転写効率を高めて、パッチシート３からより多くのテラヘルツ波を放射させることができるようになる。
そして、精力増強材１（パッチシート３）を人体に装着することによって、パッチシート３から放射されるテラヘルツ波を人体で効率よく受けることができ、テラヘルツ波を受けることによって体の水の分子が共振し、血流がよくなって細胞の活発化が促される。パッチシート３を人体の陰部等に装着した場合には、テラヘルツ波が毛細血管に至る血流を加速させて、性行為時の勃起を促進させることができるし、毛細血管の集まりでもある海綿体をテラヘルツ波で活性化させて勃起持続時間を長くすることができる。また、陰部以外の心臓に近い部分等に装着した場合には、血行不良などを正してよいコンディションにして、体調のバランスを整えることができる。
しかも、テラヘルツ波は携帯電話の電波やマイクロ波などのように人体に悪影響を及ぼすこともなく、安全である。また、スプレー式の精力増強剤のように成分がたれ落ちる心配もない。
図３は第２実施形態を示している。図３において、精力増強材１は皮膚に接触するように人体の一部に装着可能とされた基材を備え、この基材が円環状のシリコンリング１３により構成されている。シリコンリング１３はその内径が２６ｍｍ〜４０ｍｍに設定され、シリコンリング１３の断面は直径が４ｍｍ〜８ｍｍ程度の円形に形成されている。シリコンリング１３の外表面の色は肌色とされ、シリコンリング１３の周方向の一部の外面に鋸歯状の凹凸を形成してなる滑止部１４が設けられている。シリコンリング１３に第１実施形態の場合と同様にテラヘルツ波が転写されている。
ここで、シリコンリングとは、シリコン樹脂により構成されたリングであり、シリコン樹脂とは、シロキサン結合を骨格構造にもつ合成樹脂である。
上記第２実施形態によれば、精力増強材１を使用する場合、シリコンリング１３は円環状でありその内径が２６ｍｍ〜４０ｍｍに設定されているので、基材であるシリコンリング１３を陰部に外嵌して皮膚に接触するように簡単かつ確実に装着することができる。また、シリコンリング１３は肌色であるから目立たないように人体に装着することができる。
そして、前記第１実施形態の場合と同様に、精力増強材１を人体に装着することによって、性行為時の勃起を促進させ、勃起持続時間を長くすることができ、また、体調のバランスを整えることができる。
図４は第３実施形態を示している。図４において、精力増強材１は皮膚に接触するように人体の一部に装着可能とされた基材を備え、この基材がテラヘルツ鉱石とブラックシリカが練り込まれたシリコンバンド１５により構成されている。シリコンバンド１５は図５に示すように手首や足首に外嵌可能な弾性を有するリング状に形成されている。シリコンバンド１５に第１実施形態の場合と同様にテラヘルツ波が転写されている。
シリコンバンド１５の径方向の両側に六角形状の付属体１７が設けられ、この一対の付属体１７はホログラムで装飾されると共に、テラヘルツ波を吸着し易くするための金属等がコーティングされている。
ここで、シリコンバンドとは、シリコン樹脂により構成されたバンドであり、シリコン樹脂とは、シロキサン結合を骨格構造にもつ合成樹脂である。従って、シリコン樹脂によってバンドを成形する際に、シリコン樹脂にテラヘルツ鉱石とブラックシリカとを練り込んでバンドを成形したものである。
上記第３実施形態によれば、精力増強材１を使用する場合、シリコンバンド１５を図５に示すように手首や足首に外嵌すればよく、基材であるシリコンバンド１５を皮膚に接触するように簡単かつ確実に装着することができる。また、シリコンバンド１５にはテラヘルツ鉱石とブラックシリカとが練り込まれているので、テラヘルツ鉱石とブラックシリカとによって、テラヘルツ波の転写効率を高めて、シリコンバンド１５からより多くのテラヘルツ波を放射させることができるようになる。
そして、前記第１実施形態の場合と同様に、精力増強材１を人体に装着することによって、性行為時の勃起を促進させ、勃起持続時間を長くすることができ、また、体調のバランスを整えることができる。
【符号の説明】
【０００９】
１      精力増強材
３      パッチシート
５      ブラックシリカ
６      粘着剤
１３    シリコンリング
１５    シリコンバンド
【図１】
0003183440.tif 000003
【図２】
0003183440.tif 000004
【図３】
0003183440.tif 000005
【図４】
0003183440.tif 000006
【図５】
0003183440.tif 000007
【手続補正書】
【提出日】平成25年2月16日(2013.2.16)
【手続補正１】
【補正対象書類名】明細書
【補正対象項目名】全文
【補正方法】変更
【補正の内容】
【考案の詳細な説明】
【技術分野】
【０００１】  本考案は、性欲減退や不妊に有効な精力増強材の構造に関するものである。
【背景技術】
【０００２】  肉体疲労や精神的なストレスあるいは糖尿病などの疾病による精力減退や性的不能になることが少なくない。また、近時は、若年層の男性においても、性的能力が低下しているとされている。このような背景から、特に性欲減退や不妊に有効な精力増強材が求められている。  従来の精力増強材として、天然物であるにんにくからの抽出物を利用した経口用の精力増強剤がある（例えば、特許文献１）。また、スプレー式の精力増強剤も開発されている。  また、精力増強材として開発された医薬品があり、その代表的なものとして「バイアグラ（登録商標）」等の医薬品が注目されている。
【先行技術文献】
【特許文献】
【０００３】
【特許文献１】特開平１０−３０６０３２号公報
【考案の概要】
【考案が解決しようとする課題】
【０００４】  しかし、従来の経口用やスプレー式の精力増強剤には、性欲減退や不妊に有効であるかどうかは明らかとされていないものがあり、その有効性に問題があるものも多かった。また、経口用の精力増強剤の場合には服用するためには飲料水が必要となるし、飲む行為に抵抗があった。スプレー式の精力増強剤の場合は短時間で成分が落ちてしまう可能性もあった。  また、バイアグラ等の医薬品は、薬効が強力であることから、その副作用が懸念され、その服用に起因する死亡例もある。  本考案は上記問題点に鑑み、もっと手軽に使用することができて、精力が減退したり性的に不能であったりする男性に有効であり、しかも、副作用などを伴うこともなく安心して使用することができる安全性に優れた精力増強材の構造を提供することを目的とする。
【課題を解決するための手段】
【０００５】    本考案における課題解決のための具体的手段は、次の通りである。    この技術的課題を解決する本考案の技術的手段は、ブラックシリカ５が配合されかつ裏面に皮膚に貼付するための粘着剤６が塗布されたパッチシート３を備え、そのパッチシート３にテラヘルツ波を転写すべくテラヘルツ波が照射されている点にある。    また、本考案の他の技術的手段は、人体の一部に装着可能となるように内径が２６ｍｍ〜４０ｍｍに設定された円環状のシリコンリング１３を備え、そのシリコンリング１３にテラヘルツ波を転写すべくテラヘルツ波が照射されている点にある。    また、本考案の他の技術的手段は、テラヘルツ鉱石とブラックシリカが練り込まれかつ手首や足首に外嵌可能なリング状に形成されたシリコンバンド１５を備え、そのシリコンバンド１５にテラヘルツ波を転写すべくテラヘルツ波が照射されている点にある。
【考案の効果】
【０００６】  請求項１によれば、パッチシートを人体に装着することによって、パッチシートから放射されるテラヘルツ波を人体で効率よく受けることができ、テラヘルツ波を受けることによって体の水の分子が共振し、血流がよくなって細胞の活発化が促される。パッチシートを人体の陰部等に装着した場合には、テラヘルツ波が毛細血管に至る血流を加速させて、性行為時の勃起を促進させることができるし、毛細血管の集まりでもある海綿体をテラヘルツ波で活性化させて勃起持続時間を長くすることができる。また、陰部以外の心臓に近い部分等に装着した場合には、血行不良などを正してよいコンディションにして、体調のバランスを整えることができる。  しかも、テラヘルツ波は携帯電話の電波やマイクロ波などのように人体に悪影響を及ぼすこともなく、安全である。また、スプレー式の精力増強剤のように成分がたれ落ちる心配もない。 また、請求項１によれば、ブラックシリカによって、テラヘルツ波の転写効率を高めて、パッチシートからより多くのテラヘルツ波を放射させることができるようになる。また、粘着剤を利用して基材であるパッチシートを陰部や心臓に近い部分等に簡単かつ確実に貼り付けることができるようになる。 請求項２によれば、シリコンリングを陰部に外嵌して皮膚に接触するように簡単かつ確実に装着することができる。 請求項３によれば、テラヘルツ鉱石とブラックシリカとによって、テラヘルツ波の転写効率を高めて、シリコンバンドからより多くのテラヘルツ波を放射させることができるようになる。また、シリコンリングを皮膚に接触するように手首や足首に簡単かつ確実に装着することができる。
【図面の簡単な説明】
【０００７】
【図１】本考案の第１実施形態を示す精力増強材の斜視図である。
【図２】同精力増強材の構成例を示す断面図である。
【図３】本考案の第２実施形態を示す精力増強材の平面図である。
【図４】本考案の第３実施形態を示す精力増強材の斜視図である。
【図５】同精力増強材を手首に装着した状態を示す斜視図である。
【考案を実施するための形態】
【０００８】  以下、本考案の実施の形態を図面に基づいて説明する。  図１及び図２は本考案の第１実施形態を示している。図１及び図２において、精力増強材１は皮膚に接触するように人体の一部に装着可能とされた基材を備え、基材はパッチシート３により構成されている。パッチシート３は、ブラックシリカ５が配合されかつ裏面に皮膚に貼付するための粘着剤６が塗布されている。  パッチシート３は、例えば、図２（ａ）に示すように、ポリ塩化ビニル等の樹脂フィルム８の裏面側にブラックシリカ５を混合した粘着剤６を塗布してなる。また、例えば、図２（ｂ）に示すように、薄布９の裏面側にブラックシリカ５を染みこませると共にさらにその裏面に粘着剤６を塗布なる。或いは、例えば、図２（ｃ）に示すように、ブラックシリカ５を混合した合成樹脂で樹脂フィルム１０を形成し、その樹脂フィルム１０の裏面に粘着剤６を塗布してなる。  従って、図２（ａ）（ｂ）（ｃ）のいずれの場合も、ブラックシリカ５が全面に亘って配合されかつ裏面に皮膚に貼付するための粘着剤６が塗布されたパッチシート３が構成されている。  パッチシート３にテラヘルツ波が転写されている。パッチシート３へのテラヘルツ波の転写は、例えば、テラヘルツ波を放射する図示省略の転写装置によってパッチシート３にその表面側からテラヘルツ波を一定時間照射することによってなされたものである。  パッチシート３は１５ｍｍ〜３０ｍｍ程度の円形又は楕円形に形成され、その表面は目立たない肌色とされている。複数のパッチシート３が剥離シート１２に粘着剤６を介して着脱自在に貼り付けられている。  ここで、テラヘルツ波とは、光波と電波との中間領域に相当する０．０１ＴＨｚ〜１００ＴＨｚ程度の周波数を有する電磁波であり、光波と電波との間の中間的な性質を有している。このようなテラヘルツ波の応用として、測定対象物で透過または反射したテラヘルツ波の電場振幅の時間波形を測定することで該測定対象物の情報を取得する技術が研究されている。  また、ブラックシリカとは、北海道の南、上ノ国町でのみ採掘される希少な天然鉱石で、数億年前に珪草類が堆積してできた天然鉱石であり、多種の天然ミネラルをふんだんに含み、常温でも遠赤外線、マイナスイオンを強力に放射するという優れた特性をもっている。その学術名は「黒鉛珪石」である。  上記第１実施形態によれば、精力増強材１を使用する場合、パッチシート３を剥離シート１２から剥がして、陰茎の根本上部若しくは裏筋の根本で睾丸の裏側に貼付すればよい。又は、胸の心臓に近い部分に貼付すればよい。精力増強材１の人体への装着はパッチシート３の粘着剤６を利用して簡単に貼り付けてなすことができ、しかもパッチシート３の表面は肌色であるから、目立つこともない。  また、パッチシート３にはブラックシリカ５が配合されているので、ブラックシリカ５によって、テラヘルツ波の転写効率を高めて、パッチシート３からより多くのテラヘルツ波を放射させることができるようになる。  そして、精力増強材１（パッチシート３）を人体に装着することによって、パッチシート３から放射されるテラヘルツ波を人体で効率よく受けることができ、テラヘルツ波を受けることによって体の水の分子が共振し、血��がよくなって細胞の活発化が促される。パッチシート３を人体の陰部等に装着した場合には、テラヘルツ波が毛細血管に至る血流を加速させて、性行為時の勃起を促進させることができるし、毛細血管の集まりでもある海綿体をテラヘルツ波で活性化させて勃起持続時間を長くすることができる。また、陰部以外の心臓に近い部分等に装着した場合には、血行不良などを正してよいコンディションにして、体調のバランスを整えることができる。  しかも、テラヘルツ波は携帯電話の電波やマイクロ波などのように人体に悪影響を及ぼすこともなく、安全である。また、スプレー式の精力増強剤のように成分がたれ落ちる心配もない。  図３は第２実施形態を示している。図３において、精力増強材１は皮膚に接触するように人体の一部に装着可能とされた基材を備え、この基材が円環状のシリコンリング１３により構成されている。シリコンリング１３はその内径が２６ｍｍ〜４０ｍｍに設定され、シリコンリング１３の断面は直径が４ｍｍ〜８ｍｍ程度の円形に形成されている。シリコンリング１３の外表面の色は肌色とされ、シリコンリング１３の周方向の一部の外面に鋸歯状の凹凸を形成してなる滑止部１４が設けられている。シリコンリング１３に第１実施形態の場合と同様にテラヘルツ波が転写されている。ここで、シリコンリングとは、シリコン樹脂により構成されたリングであり、シリコン樹脂とは、シロキサン結合を骨格構造にもつ合成樹脂である。  上記第２実施形態によれば、精力増強材１を使用する場合、シリコンリング１３は円環状でありその内径が２６ｍｍ〜４０ｍｍに設定されているので、基材であるシリコンリング１３を陰部に外嵌して皮膚に接触するように簡単かつ確実に装着することができる。また、シリコンリング１３は肌色であるから目立たないように人体に装着することができる。  そして、前記第１実施形態の場合と同様に、精力増強材１を人体に装着することによって、性行為時の勃起を促進させ、勃起持続時間を長くすることができ、また、体調のバランスを整えることができる。  図４は第３実施形態を示している。図４において、精力増強材１は皮膚に接触するように人体の一部に装着可能とされた基材を備え、この基材がテラヘルツ鉱石とブラックシリカが練り込まれたシリコンバンド１５により構成されている。シリコンバンド１５は図５に示すように手首や足首に外嵌可能な弾性を有するリング状に形成されている。シリコンバンド１５に第１実施形態の場合と同様にテラヘルツ波が転写されている。  シリコンバンド１５の径方向の両側に六角形状の付属体１７が設けられ、この一対の付属体１７はホログラムで装飾されると共に、テラヘルツ波を吸着し易くするための金属等がコーティングされている。  ここで、シリコンバンドとは、シリコン樹脂により構成されたバンドであり、シリコン樹脂とは、シロキサン結合を骨格構造にもつ合成樹脂である。従って、シリコン樹脂によってバンドを成形する際に、シリコン樹脂にテラヘルツ鉱石とブラックシリカとを練り込んでバンドを成形したものである。  上記第３実施形態によれば、精力増強材１を使用する場合、シリコンバンド１５を図５に示すように手首や足首に外嵌すればよく、基材であるシリコンバンド１５���皮膚に接触するように簡単かつ確実に装着することができる。また、シリコンバンド１５にはテラヘルツ鉱石とブラックシリカとが練り込まれているので、テラヘルツ鉱石とブラックシリカとによって、テラヘルツ波の転写効率を高めて、シリコンバンド１５からより多くのテラヘルツ波を放射させることができるようになる。  そして、前記第１実施形態の場合と同様に、精力増強材１を人体に装着することによって、性行為時の勃起を促進させ、勃起持続時間を長くすることができ、また、体調のバランスを整えることができる。
【符号の説明】
【０００９】  １      精力増強材  ３      パッチシート  ５      ブラックシリカ  ６      粘着剤  １３    シリコンリング  １５    シリコンバンド
【手続補正２】
【補正対象書類名】実用新案登録請求の範囲
【補正対象項目名】全文
【補正方法】変更
【補正の内容】
【実用新案登録請求の範囲】
【請求項１】
ブラックシリカ（５）が配合されかつ裏面に皮膚に貼付するための粘着剤（６）が塗布されたパッチシート（３）を備え、そのパッチシート（３）にテラヘルツ波を転写すべくテラヘルツ波が照射されていることを特徴とする精力増強材の構造。
【請求項２】
人体の一部に装着可能となるように内径が２６ｍｍ〜４０ｍｍに設定された円環状のシリコンリング（１３）を備え、そのシリコンリング（１３）にテラヘルツ波を転写すべくテラヘルツ波が照射されていることを特徴とする精力増強材の構造。
【請求項３】
テラヘルツ鉱石とブラックシリカが練り込まれかつ手首や足首に外嵌可能なリング状に形成されたシリコンバンド（１５）を備え、そのシリコンバンド（１５）にテラヘルツ波を転写すべくテラヘルツ波が照射されていることを特徴とする精力増強材の構造。